(57)【要約】【課題】  ばねを用いることなくダンパーヘッドで弦を押圧することによって、グランドピアノにより近い好ましいタッチ感を得ることができるアップライトピアノのダンパー装置を提供する。【解決手段】  弦Ｓを離鍵状態において押圧し、押鍵に伴って弦Ｓから離れるアップライトピアノのダンパー装置１であって、弦Ｓの前方に配置された不動のダンパーレバーフレンジ２１と、上下方向に延び、ダンパーレバーフレンジ２１に支点２２ｄを介して、回動自在に支持されたダンパーレバー２２と、ダンパーレバー２２の上端部に一体に連結されたダンパーヘッド２３と、ダンパーレバー２２に設けられ、自重により、ダンパーヘッド２３を弦Ｓ側に回動させる方向の支点２２ｄ回りのモーメントＭをダンパーレバー２２に付与することによって、ダンパーヘッド２３により弦Ｓを押圧させるための重り２４と、を備えている。【選択図】  図２
2008090168.tif 000002
【特許請求の範囲】
【請求項１】
上下方向に延びる弦を離鍵状態において押圧し、押鍵に伴って前記弦から離れるアップライトピアノのダンパー装置であって、
前記弦の前方に配置された不動のダンパーレバーフレンジと、
上下方向に延び、その中央において、前記ダンパーレバーフレンジに支点を介して、左右方向に延びる軸線回りに回動自在に支持されたダンパーレバーと、
当該ダンパーレバーの上端部に一体に連結されたダンパーヘッドと、
前記ダンパーレバーに設けられ、自重により、前記ダンパーヘッドを前記弦側に回動させる方向の前記支点回りのモーメントを前記ダンパーレバーに付与することによって、離鍵状態において、前記ダンパーヘッドにより前記弦を押圧させるための重りと、
を備えていることを特徴とするアップライトピアノのダンパー装置。
【請求項２】
前記重りは、前記ダンパーレバーの前記支点よりも下側に、前記弦側に突出するように設けられていることを特徴とする請求項１に記載のアップライトピアノのダンパー装置。
【請求項３】
前記ダンパーレバーフレンジと前記ダンパーレバーの間に設けられ、前記ダンパーヘッドを前記弦側に回動させる方向に前記ダンパーレバーを付勢するばねをさらに備えていることを特徴とする請求項１または２に記載のアップライトピアノのダンパー装置。
【発明の詳細な説明】
【技術分野】
【０００１】
本発明は、離鍵状態において弦を押圧し、押鍵に伴って弦から離れるアップライトピアノのダンパー装置に関する。
【背景技術】
【０００２】
従来のこの種のダンパー装置として、例えば特許文献１に開示されたものが知られている。このダンパー装置は、一般的なダンパー装置と同様に構成されており、センターレールに固定されたダンパーレバーフレンジ（支持部材）と、このダンパーレバーフレンジに回動自在に設けられたダンパーレバーと、ダンパーレバーの上端部に立設されたダンパーレバーワイヤと、その上端部に設けられたダンパーヘッドを有している。また、ダンパーレバーフレンジとダンパーレバーの間にはダンパースプリングが設けられており、これによりダンパーレバーが付勢されることにより、離鍵状態においてダンパーヘッドが弦を押圧する。
【０００３】
このダンパー装置では、押鍵に伴い、ウィッペンに設けられたスプーンで駆動されることによって、ダンパーレバーが、ダンパースプリングのばね力に抗して、弦と反対側に回動する。これにより、ダンパーヘッドが弦から離れることによって、その直後の打弦による弦の振動、およびそれによるピアノ音の発生が許容される。また、離鍵に伴い、ダンパースプリングのばね力により、ダンパーレバーが弦側に回動し、ダンパーヘッドが弦を押圧することによって、弦の振動およびピアノ音が停止される。
【０００４】
以上の構成では、押鍵に伴ってダンパーレバーが回動する際、ダンパースプリングのばね力が、スプーンなどを介し、押鍵に対する反力の一部として演奏者の指に伝達される。このため、押鍵時には、ダンパースプリングのばね力により、ばねによって押し返されるような好ましくない「ばねっぽい」タッチ感が生じてしまう。また、アップライトピアノの場合、ダンパースプリング以外にも複数のばねがアクションに用いられているため、上記の「ばねっぽい」タッチ感が、グランドピアノよりも顕著になってしまう。
【０００５】
本発明は、上記のような課題を解決するためになされたものであり、ばねを用いることなくダンパーヘッドで弦を押圧することによって、グランドピアノにより近い好ましいタッチ感を得ることができるアップライトピアノのダンパー装置を提供する。
【０００６】
【特許文献１】特開平７−２３０２７８号公報
【発明の開示】
【課題を解決するための手段】
【０００７】
上記の目的を達成するために、請求項１に係る発明は、上下方向に延びる弦を離鍵状態において押圧し、押鍵に伴って弦から離れるアップライトピアノのダンパー装置であって、弦の前方に配置された不動のダンパーレバーフレンジと、上下方向に延び、その中央において、ダンパーレバーフレンジに支点を介して、左右方向に延びる軸線回りに回動自在に支持されたダンパーレバーと、ダンパーレバーの上端部に一体に連結されたダンパーヘッドと、ダンパーレバーに設けられ、自重により、ダンパーヘッドを弦側に回動させる方向の支点回りのモーメントをダンパーレバーに付与することによって、離鍵状態において、ダンパーヘッドにより弦を押圧させるための重りと、を備えていることを特徴とする。
【０００８】
このダンパー装置によれば、ダンパーレバーに設けた重りの重さにより、ダンパーヘッドを弦側に回動させる方向の支点回りのモーメントが、ダンパーレバーに付与される。このモーメントにより、離鍵状態において、ダンパーヘッドで弦を押圧することができる。その結果、従来のダンパースプリングを省略することが可能になる。このように、ダンパーヘッドによる弦の押圧を、従来のダンパースプリングに代えて、重りによるモーメントによって行うので、その分、「ばねっぽい」タッチ感を軽減でき、グランドピアノにより近い好ましいタッチ感を得ることができる。
【０００９】
請求項２に係る発明は、請求項１に記載のアップライトピアノのダンパー装置において、重りは、ダンパーレバーの支点よりも下側に、弦側に突出するように設けられていることを特徴とする。
【００１０】
この構成によれば、重りが弦側に突出するように設けられるので、重りによるモーメントを効果的に付与することができる。また、重りの重心が、ダンパーレバーの支点よりも下側に位置するので、重りによるモーメントをダンパーレバーに安定して付与することができる。また、通常、ダンパーレバーと弦の間の支点よりも下側の空間には、他の構成部品などが配置されておらず、スペースに比較的余裕があるので、このようなスペースを利用することにより、重りを容易に配置することができる。
【００１１】
請求項３に係る発明は、請求項１または２に記載のアップライトピアノのダンパー装置において、ダンパーレバーフレンジとダンパーレバーの間に設けられ、ダンパーヘッドを弦側に回動させる方向にダンパーレバーを付勢するばねをさらに備えていることを特徴とする。
【００１２】
この構成によれば、ダンパーレバーは、請求項１の前述した支点回りのモーメントにより弦側に回動するとともに、ばねによって弦側に付勢される。このように、重りによるモーメントに加えて、ばねのばね力がダンパーレバーに作用するので、ダンパーヘッドによる弦の押圧をより確実に行うことができる。この場合、従来よりもばね力の小さなばねを補助的に用いることによって、「ばねっぽい」タッチ感を最小限に抑制することができる。
【発明を実施するための最良の形態】
【００１３】
以下、本発明の好ましい実施形態を、図面を参照しながら詳細に説明する。図１は、本発明の一実施形態によるアップライトピアノのダンパー装置１、鍵盤２およびアクション３などを、離鍵状態において示している。なお、以下の説明では、演奏者側から見たときのアップライトピアノの手前側を「前」、奥側を「後」として説明する。
【００１４】
鍵盤２は、左右方向に並んだ多数の鍵２ａ（１つのみ図示）によって構成されている。各鍵２ａは、前後方向（図１の左右方向）のほぼ中央において、筬５に立設されたバランスピン５ａを介して筬５に回動自在に支持されている。
【００１５】
アクション３は、鍵盤２の後端部の上方に配置されており、棚板４に載置された複数のアクションブラケット（図示せず）に取り付けられている。アクション３は、ウィッペン６、バット７およびジャック８などを鍵２ａごとに有しており（いずれも１つのみ図示）、ウィッペン６は、複数のアクションブラケットの間に渡されたセンターレール９の下端部に回動自在に取り付けられている。また、ウィッペン６は、鍵２ａの後端部に設けられたキャプスタンスクリュー２ｂを介して鍵２ａに載置されている。また、ウィッペン６の上面後端部には、後述するダンパーレバー２２を駆動するためのスプーン６ａが立設されている。
【００１６】
ジャック８はウィッペン６に回動自在に取り付けられており、ジャック８とウィッペン６の間には、ジャックスプリング８ａが設けられている。また、センターレール９の前面上端部にはバットフレンジ７ａが固定されており、バット７は、このバットフレンジ７ａに回動自在に取り付けられている。
【００１７】
また、バット７にはハンマー１０が一体に設けられており、両者７、１０によってハンマー組立て品１１が構成されている。ハンマー組立て品１１は、バット７の下端部を介してジャック８に支持されており、ハンマー１０は、後方に張られた弦Ｓに対向している。また、バット７とバットフレンジ７ａの間には、ハンマー組立て品１１を弦Ｓと反対側（前側）に付勢するバットスプリング７ｂが設けられている。
【００１８】
ダンパー装置１は、センターレール９に鍵２ａごとに設けられている（１つのみ図示）。図２に示すように、ダンパー装置１は、センターレール９の上面にねじ止めされたダンパーレバーフレンジ２１と、このダンパーレバーフレンジ２１に回動自在に取り付けられたダンパーレバー２２と、ダンパーレバー２２に連結されたダンパーヘッド２３などを備えている。
【００１９】
ダンパーレバーフレンジ２１は、例えば合成樹脂の成形品で構成され、厚い板状に形成されており、左右の両端部には、後方に突出するレバー支持部２１ｂ，２１ｂが設けられている（１つのみ図示）。ダンパーレバー２２は、合成樹脂の成形品または木質材で構成され、上下方向に長く延びており、その中央に、水平に延びるピン状の支点２２ｄが、左右方向に突出するように設けられている。そして、この支点２２ｄが支持部２１ｂ、２１ｂの間に取り付けられることにより、ダンパーレバー２２は、支点２２ｄを中心として、ダンパーレバーフレンジ２１に回動自在に支持されている。また、ダンパーレバー２２の前面の下端部にはフェルト２２ａが貼り付けられており、このダンパーレバー２２の下端部は、前述したスプーン６ａに後方から対向している。
【００２０】
ダンパーレバー２２には、ダンパーワイヤ２２ｂが立設されており、ダンパーヘッド２３は、ダンパーワイヤ２２ｂの上端部に設けられていて、ダンパーレバー２２と一体に連結されている。ダンパーヘッド２３は、ダンパーワイヤ２２ｂの上端部に取り付けられたダンパーブロック２３ａと、ダンパーブロック２３ａの背面に貼り付けられたダンパーフェルト２３ｂを有している。
【００２１】
ダンパーレバー２２の背面の下端部には、取付け部２２ｃを介して重り２４が取り付けられている。取付け部２２ｃは、周面にねじを有する棒状に形成され、ダンパーレバー２２に接着により固定されており、ダンパーレバー２２から後ろ上りに斜めに突出している。重り２４は、例えば鉄などの比重の大きな材料で構成され、円柱状に形成されており、また、その軸線に沿って延び、重り２４を貫通するねじ孔２４ａが形成されている。重り２４は、そのねじ孔２４ａに取付け部２２ｃをねじ込むことによって、ダンパーレバー２２に進退自在に取り付けられている。
【００２２】
以上の構成によれば、ダンパーレバー２２と、これと一体のダンパーヘッド２３および重り２４の三者間の重量バランスに応じたモーメントが、ダンパーレバー２２に付与される。具体的には、重り２４が、ダンパーレバー２２の下端部から後方に突出するように配置されていることにより、この重りによる支点２２ｄ回りの反時計方向のモーメントＭが付加されており、このモーメントＭにより、ダンパーヘッド２３が弦Ｓに当接し、これを押圧する。
【００２３】
次いで、上述したダンパー装置１の押鍵時および離鍵時の動作について説明する。図１に示す離鍵状態から鍵２ａが押鍵されると、ウィッペン６が鍵２ａで突き上げられることにより上方に回動するとともに、ジャック８がウィッペン６と一緒に上方に移動する。それに伴い、ハンマー組立て品１１がジャック８で突き上げられることにより、バットスプリング７ｂのばね力に抗して回動する。その際、ウィッペン６、ジャック８、およびハンマー組立て品１１などの重量と、バットスプリング７ｂのばね力に応じた反力が、演奏者の指に作用する。
【００２４】
また、ウィッペン６の回動に伴い、スプーン６ａが後方に移動し、ダンパーレバー２２の下端部を、フェルト２２ａを介して押圧する。それにより、図３に示すように、ダンパーレバー２２およびダンパーヘッド２３などは、支点２２ｄを中心として時計方向に回動することによって、ダンパーヘッド２３が弦Ｓから離れ、弦Ｓの振動が許容される。その際、支点２２ｄ回りのモーメントＭの大きさに応じた反力が、スプーン６ａ、ウィッペン６および鍵２ａを介して、演奏者の指にさらに作用する。
【００２５】
さらに押鍵が進み、ジャック８が、センターレール９に連結されたレギュレティングボタン９ａに係合することにより、ジャックスプリング８ａのばね力に抗して回動する。それにより、ジャック８がバット７から離脱し、ハンマー組立て品１１がさらに回動することによりハンマー１０が打弦を行うことによって、ピアノ音が発生する。
【００２６】
鍵２ａが離鍵されると、それに伴い、ウィッペン６が押鍵時と逆方向に復帰回動し、スプーン６ａが前方に移動し、ダンパーレバー２２から離れる。それにより、ダンパーレバー２２は、支点２２ｄ回りのモーメントＭにより反時計方向に回動し、ダンパーヘッド２３が弦Ｓに当接するとともにこれを押圧することによって、弦Ｓの振動およびピアノ音が停止する。
【００２７】
以上のように、本実施形態のダンパー装置１によれば、ダンパーレバー２２に設けた重り２４の重さにより、ダンパーヘッド２３を弦Ｓ側に回動させる方向の支点２２ｄ回りのモーメントＭが、ダンパーレバー２２に付与されるので、このモーメントＭにより、離鍵状態において、ダンパーヘッド２３で弦Ｓを押圧することができる。それにより、本実施形態では、従来のダンパースプリングが省略されており、ダンパーヘッド２３による弦Ｓの押圧を、従来のダンパースプリングに代えて、重り２４によるモーメントＭによって行うので、その分、「ばねっぽい」タッチ感を軽減でき、グランドピアノにより近い好ましいタッチ感を得ることができる。
【００２８】
また、重り２４が弦Ｓ側に突出するように設けられているので、重り２４によるモーメントＭを効果的に付与することができる。また、重り２４の重心が、ダンパーレバー２２の支点２２ｄよりも下側に位置しているので、重り２４によるモーメントＭをダンパーレバー２２に安定して付与することができる。また、通常、ダンパーレバー２２と弦Ｓの間の支点２２ｄよりも下側の空間には、他の構成部品などが配置されておらず、スペースに比較的余裕があるので、このようなスペースを利用することにより、重り２４を容易に配置することができる。
【００２９】
さらに、重り２４が取付け部２２ｃにねじ込みによって取り付けられているので、そのねじ込み量を調整することにより、重り２４の前後方向の位置を調整でき、それにより、モーメントＭの大きさをきめ細かく調整することができる。
【００３０】
図４は、上述したダンパー装置１の変形例を示している。この変形例によるダンパー装置３１は、ダンパー装置１に、ダンパースプリング３２ｅ（ばね）を補助的に付加したものである。
【００３１】
このダンパースプリング３２ｅは、従来のダンパースプリングのばね力よりも非常に小さな所定のばね力を有しており、ダンパーレバー３２とダンパーレバーフレンジ３３の間に設けられている。具体的には、ダンパーレバー３２の上端部に上下方向に延びるように形成されたスプリング係合溝３２ｄと、ダンパーレバーフレンジ３３の左右のレバー支持部３３ｂ、３３ｂよりも前側に設けられたピン３３ｃの間に設けられており、ダンパースプリング３２ｅは、ダンパーレバー３２を図４の反時計方向に小さなばね力で付勢している。
【００３２】
このダンパー装置３１によれば、重り２４による支点２２ｄ回りのモーメントＭに加えて、ダンパースプリング３２ｅのばね力が、ダンパーレバー３２に付与されるので、ダンパーヘッド２３による弦Ｓの押圧をより確実に行うことができる。また、ばね力の非常に小さなダンパースプリング３２ｅを補助的に用いているので、「ばねっぽい」タッチ感を最小限に抑制することができる。
【００３３】
なお、本発明は、説明した実施形態および変形例に限定されることなく、種々の態様で実施することができる。例えば、実施形態および変形例では、重り２４を取り付けるための取付け部２２ｃを、ダンパーレバー２２または３２に接着により一体化したものとして説明したが、これに限定されることなく、ダンパーレバー２２、３２と一体成形してもよい。また、実施形態などでは、重り２４を取付け部２２ｃにねじ込むことにより取り付けているが、他の方法、例えば、接着やかしめることにより、取付け部２２ｃに固定してもよい。
【００３４】
また、実施形態などでは、重り２４をダンパーレバー２２、３２の背面の下端部に取り付けた例を説明したが、ダンパーヘッド２３が弦Ｓ側に回動するようなモーメントをダンパーレバー２２、３２に付与することが可能な他の任意の部位に取り付けてもよい。その他、細部の構成を、本発明の趣旨の範囲内で適宜、変更することが可能である。
【図面の簡単な説明】
【００３５】
【図１】本発明の一実施形態によるアップライトピアノのダンパー装置、鍵盤、アクションおよびハンマーなどを、離鍵状態において示す側面図である。
【図２】図１のダンパー装置を示す部分拡大側面図である。
【図３】押鍵に伴い、ダンパーレバーなどが回動した状態を示すダンパー装置の側面図である。
【図４】変形例によるダンパー装置を示す図２と同様の部分拡大側面図である。
【符号の説明】
【００３６】
１    ダンパー装置
２１    ダンパーレバーフレンジ
２２    ダンパーレバー
２２ｄ  支点
２３    ダンパーヘッド
２４    重り
３１    ダンパー装置
３２    ダンパーレバー
３２ｅ  ダンパースプリング（ばね）
３３    ダンパーレバーフレンジ
Ｓ    弦
【図１】
2008090168.tif 000003
【図２】
2008090168.tif 000004
【図３】
2008090168.tif 000005
【図４】
2008090168.tif 000006